(57)【要約】【課題】複数チャンネルのダイバーシチ効果を維持しながら、遅延差のある複数チャンネルのサイマル放送を時間的な同期を取りつつ、単一のデコーダで映像、音声を再生すう機能を備える放送受信装置を提供する。【解決手段】第１のチューナ１０１および第１の復調器１０２で受信した第１の放送データと第２のチューナ１０９および第２の復調器１１０で受信した第２の放送データのうち、他方の放送データに対して遅延している方の放送データをスイッチ１０３から選択処理部１０５に入力し、遅延していない方の放送データをスイッチ１０３からバッファ１０４を介して選択処理部１０５に入力することで両放送データを同期させる。また、両放送データにおける互いに対応するパケットのうち、エラーが含まれない方のパケットを選択して選択処理部１０５からデコーダ１０６に出力させる。【選択図】図１
2008252390.tif 000002
【特許請求の範囲】
【請求項１】
放送データを受信する複数の受信手段と、上記放送データを復号するデコーダとを備えた放送受信装置であって、
互いに異なる上記受信手段によってそれぞれ受信された複数の放送データが共通コンテンツの放送データである場合に、これら各放送データを同期させる遅延補正部と、
上記遅延補正部によって同期された複数の放送データにおける互いに対応するパケットの受信品質に応じて、互いに対応する上記各パケットのうちのいずれか１つを選択し、選択したパケットを上記デコーダに出力する選択部とを備えていることを特徴とする放送受信装置。
【請求項２】
上記放送データにおける各パケットにエラーが含まれているか否かを判定するエラー検出部を備え、
上記選択部は、上記複数の放送データが共通コンテンツの放送データである場合に、これら複数の放送データにおける互いに対応するパケットのうち、エラーが含まれていないパケットを選択して上記デコーダに出力することを特徴とする請求項１に記載の放送受信装置。
【請求項３】
上記放送データにおける各パケットのエラー発生率を検出するエラー発生率検出部を備え、
上記選択部は、上記複数の放送データが共通コンテンツの放送データである場合に、これら複数の放送データにおける互いに対応するパケットのうち、エラー発生率が最も低いパケットを選択して上記デコーダに出力することを特徴とする請求項１に記載の放送受信装置。
【請求項４】
複数の上記受信手段には、
放送データを受信するチューナと、このチューナによって受信した放送データを復調する復調器とを備えた受信手段が２つ以上含まれていることを特徴とする請求項１に記載の放送受信装置。
【請求項５】
複数の上記受信手段には、
放送データを受信するチューナと、このチューナによって受信した放送データを復調する復調器とを備えた受信手段と、
通信網を介して送信された放送データを受信するインターフェースを備えた受信手段とが含まれていることを特徴とする請求項１に記載の放送受信装置。
【請求項６】
上記遅延補正部は、
入力された放送データを遅延させて出力するバッファと、
上記バッファに入力する放送データを切り替える切替部と、
上記各放送データ間の遅延量を検出する遅延量検出部と、
上記遅延検出手段の検出した遅延量に基づいて、上記バッファに入力する放送データを決定し、上記切替部の動作を制御する切替制御部と、
上記遅延検出手段の検出した遅延量に基づいて、上記バッファにおける放送データの出力タイミングを制御する補正量制御部とを備えていることを特徴とする請求項１に記載の放送受信装置。
【請求項７】
上記遅延量検出部は、放送データに含まれる時間情報を用いて遅延量を検出することを特徴とする請求項６に記載の放送受信装置。
【請求項８】
上記時間情報は、ＭＰＥＧ−２規格におけるＰＣＲであることを特徴とする請求項７に記載の放送受信装置。
【請求項９】
前記遅延量検出部は、放送データに含まれる遅延量情報を用いて上記各放送データ間の遅延量を検出することを特徴とする請求項６に記載の放送受信装置。
【請求項１０】
放送データを受信する複数の受信手段と、上記放送データを復号するデコーダとを備えた放送受信装置における放送受信方法であって、
互いに異なる上記受信手段によってそれぞれ受信された複数の放送データが共通コンテンツの放送データである場合に、これら各放送データを同期させる遅延補正工程と、
上記遅延補正工程によって同期された複数の放送データにおける互いに対応するパケットの受信品質に応じて、互いに対応する上記各パケットのうちのいずれか１つを選択し、選択したパケットを上記デコーダに出力する選択工程とを含むことを特徴とする放送受信方法。
【請求項１１】
請求項１に記載の放送受信装置を動作させるためのプログラムであって、コンピュータを上記各部として機能させるためのプログラム。
【請求項１２】
請求項１１に記載の放送受信プログラムを記録したコンピュータ読み取り可能な記録媒体。
【発明の詳細な説明】
【技術分野】
【０００１】
本発明は、放送データを受信する放送受信装置に関する。
【背景技術】
【０００２】
ＡＲＩＢ  ＳＴＤ−Ｂ３１などで規定されるＩＳＤＢ−Ｔ方式では、放送が行われる物理チャンネル内に複数のセグメントが存在しており、異なる伝送方式の放送を１つの物理チャンネル内で送信することができる。ワンセグ放送はこの枠組みを利用していて、１つの地上デジタルテレビジョン物理チャンネル帯域内における１３セグメントのうち、中央の１セグメントを使って携帯受信機向けの放送を行うものである。
【０００３】
ワンセグ放送の変調方式は貧弱なアンテナしか持たない携帯受信機向けに特化しているため、従来のアナログ放送では実現不可能だった高品質の映像・音声が携帯受信機でも受信できるようになっている。
【０００４】
ところで、携帯受信機向けの受信感度を向上させるための技術としてダイバーシチがある。ダイバーシチは、複数の電波を受信し、受信機においてこれらの受信波を選択したり合成したりして受信電力を得る方式である。
【０００５】
例えば、特許文献１には、チューナ、デジタル復調器、およびデコーダを２系統備え、
受信状況が良好でない場合にはダイバーシチ受信を行う一方、受信状況が良好な場合には異なる二つのデジタル放送を受信するように制御する技術が開示されている。
【特許文献１】特開２００７−４３６０９号公報（２００７年２月１５日公開）
【発明の開示】
【発明が解決しようとする課題】
【０００６】
しかしながら、特許文献１の方法では、受信感度を向上させるためにデコーダを２台備える必要があるので、コストアップおよび装置の大型化、複雑化を招来するという問題がある。
【０００７】
また、２つのチューナを備える場合、これら２つのチューナによって同一チャンネルを受信する場合と、これら２つのチューナによって別チャンネルで同一内容のコンテンツを受信する場合が考えられる。
【０００８】
ところが、特許文献１では、通常放送を受信するチャンネルと、通常放送の届かないエリアへ再送信するチャンネルとの間の送信遅延差が考慮されていない。このため、送信遅延差がある２つのチャンネルで同一内容のコンテンツを受信し、エラーの発生しないデコーダ出力を表示するように制御すると、連続した映像信号として切り替えることができない。このため、例えば、遅延量の大きいチャンネルから遅延量の小さいチャンネルに切り替える場合、途中の映像が無くなってしまう。また、これとは逆に、遅延量の小さいチャンネルから遅延量の大きいチャンネルに切り替える場合、遅延量の差分の時間だけ同じ映像が２回繰り返して表示されてしまう。
【０００９】
本発明は、上記の問題点に鑑みて成されたものであり、その目的は、複数チャンネルのダイバーシチ効果によって受信感度を高めることができ、かつ遅延差のある複数チャンネルのサイマル放送を受信する場合であっても各チャンネル間の同期を取ることができ、かつ装置構成を簡略化することのできる放送受信装置を提供することにある。
【課題を解決するための手段】
【００１０】
本発明の放送受信装置は、上記の課題を解決するために、放送データを受信する複数の受信手段と、上記放送データを復号するデコーダとを備えた放送受信装置であって、互いに異なる上記受信手段によってそれぞれ受信された複数の放送データが共通コンテンツの放送データである場合に、これら各放送データを同期させる遅延補正部と、上記遅延補正部によって同期された複数の放送データにおける互いに対応するパケットの受信品質に応じて、互いに対応する上記各パケットのうちのいずれか１つを選択し、選択したパケットを上記デコーダに出力する選択部とを備えていることを特徴としている。
【００１１】
上記の構成によれば、互いに異なる受信手段によってそれぞれ受信された複数の放送データが共通コンテンツの放送データである場合に、遅延補正部が、これら各放送データを同期させる。そして、選択部が、遅延補正部によって同期された複数の放送データにおける互いに対応するパケットの受信品質に応じて、互いに対応する上記各パケットのうちのいずれか１つを選択し、選択したパケットをデコーダに出力する。
【００１２】
したがって、選択部が受信品質に応じていずれの放送データのパケットをデコーダに出力するかを選択するので、ダイバーシチ効果によって受信感度を高めることができる。また、遅延補正部が各放送データを同期させるので、パケット単位で使用する放送データを切り替える構成であっても、コンテンツ（例えば映像，音声等）が途中で途切れてしまったり、同じコンテンツが重複して出力されたりすることを防止できる。また、デコーダを複数備える必要がないので、装置構成を簡略化および小型化を図るとともに、製造コストを低減することができる。
【００１３】
また、上記放送データにおける各パケットにエラーが含まれているか否かを判定するエラー検出部を備え、上記選択部は、上記複数の放送データが共通コンテンツの放送データである場合に、これら複数の放送データにおける互いに対応するパケットのうち、エラーが含まれていないパケットを選択して上記デコーダに出力する構成であってもよい。
【００１４】
上記の構成によれば、選択部が、エラーが含まれていないパケットを選択してデコーダに出力するので、受信感度を高めることができる。
【００１５】
また、上記放送データにおける各パケットのエラー発生率を検出するエラー発生率検出部を備え、上記選択部は、上記複数の放送データが共通コンテンツの放送データである場合に、これら複数の放送データにおける互いに対応するパケットのうち、エラー発生率が最も低いパケットを選択して上記デコーダに出力する構成であってもよい。
【００１６】
上記の構成によれば、選択部が、エラー発生率が最も低いパケットを選択してデコーダに出力するので、受信感度を高めることができる。
【００１７】
また、複数の上記受信手段には、放送データを受信するチューナと、このチューナによって受信した放送データを復調する復調器とを備えた受信手段が２つ以上含まれていてもよい。
【００１８】
上記の構成によれば、ダイバーシチ効果によって受信感度を高めることができる。また、コンテンツが途中で途切れてしまったり、同じコンテンツが重複して出力されたりすることを防止できる。
【００１９】
また、複数の上記受信手段には、放送データを受信するチューナと、このチューナによって受信した放送データを復調する復調器とを備えた受信手段と、通信網を介して送信された放送データを受信するインターフェースを備えた受信手段とが含まれていてもよい。
【００２０】
上記の構成によれば、ダイバーシチ効果によって受信感度を高めることができる。また、コンテンツが途中で途切れてしまったり、同じコンテンツが重複して出力されたりすることを防止できる。また、上記両受信手段のうちの一方の受信が困難な場合であっても、他方の受信手段によって放送データを受信することができる。したがって、放送データを受信可能なエリアを広げることができる。
【００２１】
また、上記遅延補正部は、入力された放送データを遅延させて出力するバッファと、上記バッファに入力する放送データを切り替える切替部と、上記各放送データ間の遅延量を検出する遅延量検出部と、上記遅延検出手段の検出した遅延量に基づいて、上記バッファに入力する放送データを決定し、上記切替部の動作を制御する切替制御部と、上記遅延検出手段の検出した遅延量に基づいて、上記バッファにおける放送データの出力タイミングを制御する補正量制御部とを備えている構成であってもよい。
【００２２】
上記の構成によれば、遅延検出手段の検出した遅延量に基づいてバッファにおける放送データの出力タイミングを制御することにより、各放送データを容易に同期させることができる。
【００２３】
また、上記遅延量検出部は、放送データに含まれる時間情報を用いて遅延量を検出する構成であってもよい。例えば、上記時間情報は、ＭＰＥＧ−２規格におけるＰＣＲであってもよい。
【００２４】
上記の構成によれば、放送データに含まれる時間情報を用いて各放送データ間の遅延量を容易に検出することができる。
【００２５】
また、前記遅延量検出部は、放送データに含まれる遅延量情報を用いて上記各放送データ間の遅延量を検出する構成であってもよい。
【００２６】
上記の構成によれば、放送データに含まれる遅延両情報を用いて各放送データ間の遅延量を容易に検出することができる。
【００２７】
本発明の放送受信方法は、放送データを受信する複数の受信手段と、上記放送データを復号するデコーダとを備えた放送受信装置における放送受信方法であって、互いに異なる上記受信手段によってそれぞれ受信された複数の放送データが共通コンテンツの放送データである場合に、これら各放送データを同期させる遅延補正工程と、上記遅延補正工程によって同期された複数の放送データにおける互いに対応するパケットの受信品質に応じて、互いに対応する上記各パケットのうちのいずれか１つを選択し、選択したパケットを上記デコーダに出力する選択工程とを含むことを特徴としている。
【００２８】
上記の方法によれば、互いに異なる受信手段によってそれぞれ受信された複数の放送データが共通コンテンツの放送データである場合に、遅延補正工程において、これら各放送データを同期させる。そして、選択工程において、遅延補正部で同期された複数の放送データにおける互いに対応するパケットの受信品質に応じて、互いに対応する上記各パケットのうちのいずれか１つを選択し、選択したパケットをデコーダに出力する。
【００２９】
したがって、選択工程において受信品質に応じていずれの放送データのパケットをデコーダに出力するかを選択するので、ダイバーシチ効果によって受信感度を高めることができる。また、遅延補正工程において各放送データを同期させるので、パケット単位で使用する放送データを切り替える構成であっても、映像が途中で途切れてしまったり、同じ映像が重複して表示されたりすることを防止できる。
【００３０】
なお、上記遅延補正部および選択部は、コンピュータによって実現してもよく、この場合には、コンピュータを上記各部として動作させることにより、上記放送受信装置をコンピュータにて実現させるプログラム、およびそれを記録したコンピュータ読み取り可能な記録媒体も、本発明の範疇に含まれる。
【発明の効果】
【００３１】
本発明の放送受信装置は、互いに異なる受信手段によってそれぞれ受信された複数の放送データが共通コンテンツの放送データである場合に、これら各放送データを同期させる遅延補正部と、遅延補正部によって同期された複数の放送データにおける互いに対応するパケットの受信品質に応じて、互いに対応する上記各パケットのうちのいずれか１つを選択し、選択したパケットを上記デコーダに出力する選択部とを備えている。
【００３２】
また、本発明の放送受信方法は、互いに異なる上記受信手段によってそれぞれ受信された複数の放送データが共通コンテンツの放送データである場合に、これら各放送データを同期させる遅延補正工程と、上記遅延補正工程によって同期された複数の放送データにおける互いに対応するパケットの受信品質に応じて、互いに対応する上記各パケットのうちのいずれか１つを選択し、選択したパケットを上記デコーダに出力する選択工程とを含む。
【００３３】
それゆえ、本発明の放送受信装置および放送受信方法によれば、ダイバーシチ効果によって受信感度を高めることができる。また、コンテンツが途中で途切れてしまったり、同じコンテンツが重複して出力されたりすることを防止できる。また、デコーダを複数備える必要がないので、装置構成を簡略化および小型化を図るとともに、製造コストを低減することができる。
【発明を実施するための最良の形態】
【００３４】
〔実施形態１〕
本発明の一実施形態について説明する。図１は、本実施形態にかかる放送受信装置１の全体構成を示すブロック図である。この図を用いて、まず放送受信装置１の基本構成および基本動作について説明する。
【００３５】
（１．基本構成および基本動作）
図１に示すように、放送受信装置１は、第１のチューナ１０１、第１の復調器１０２、第２のチューナ１０９、第２の復調器１１０、スイッチ１０３、バッファ１０４、選択処理部１０５、デコーダ１０６、選択処理制御部１０７、および遅延補正制御部１０８を備えている。
【００３６】
第１のチューナ１０１は、電波を選局して放送を受信し、受信した放送信号を第１の復調器１０２に出力する。同様に、第２のチューナ１０９は、電波を選局して放送を受信し、受信した放送信号を第１の復調器１０２に出力する。
【００３７】
なお、以下の説明では、主に、第１のチューナ１０１で受信するコンテンツと、第２のチューナ１０９で受信するコンテンツとは同一（共通コンテンツ）であるが、これら両チューナによって受信される放送データには遅延がある場合について説明する。このような場合の一例としては、例えば、第１のチューナの受信チャンネルが通常放送のチャンネルであり、第２のチューナの受信チャンネルが上記通常放送の届かないエリアへ上記通常放送と同じ放送データを再送信するチャンネルである場合などが考えられる。
【００３８】
第１の復調器１０２は、第１のチューナ１０１が受信した放送信号を復調処理して放送データを生成し、スイッチ１０３および遅延補正制御部１０８に出力する。同様に、第２の復調器１１０は、第２のチューナ１０９が受信した放送信号を復調処理して放送データを生成し、スイッチ１０３および遅延補正制御部１０８に出力する。また、第１の復調器１０２および第２の復調器１１０は、パケットにエラーが含まれるか否かを示すフラグ情報を放送データに付加して出力するようになっている。
【００３９】
放送データとしては、例えば、ＭＰＥＧ−２（Moving Picture Expert Group Phase 2）で規格化されたＴＳ（Transport Stream）形式のデータなどが挙げられる。この場合、放送データは、パケットと呼ばれる単位に分割されており、個々のパケットに映像や音声の圧縮データが格納されている。
【００４０】
スイッチ１０３は、遅延補正制御部１０８から入力される切替制御信号に基づいて、第１の放送データおよび第２の放送データのいずれか一方をバッファ１０４に出力し、他方を選択処理部に出力するように切替動作を行う。例えば、第１の放送データをバッファ１０４に入力させて遅延させたい場合には図２（ｂ）に示す切替状態とし、第２の放送データをバッファ１０４に入力させて遅延させたい場合には図２（ａ）に示す切替状態とする。
【００４１】
バッファ１０４は、スイッチ１０３から入力された放送データを、遅延補正制御部１０８から入力される遅延量制御信号に応じた遅延量だけ遅延させて選択処理部１０５に出力する。
【００４２】
遅延補正制御部１０８は、遅延量検出部１０８ａ、切替制御部１０８ｂ、および補正量制御部１０８ｃを備えている。
【００４３】
遅延量検出部１０８ａは、第１の復調器１０２から入力される放送データ（以下、第１の放送データと呼ぶ）と、第２の復調器１１０から入力される放送データ（以下、第２の放送データと呼ぶ）とを比較し、一方の放送データにおける他方の放送データに対する遅延量を検出する。そして、検出した遅延量を切替制御部１０８ｂおよび補正量制御部１０８ｃに出力する。
【００４４】
切替制御部１０８ｂは、遅延量検出部１０８ａが検出した遅延量に基づいて、遅延している方の放送データをスイッチ１０３から選択処理部１０５に出力させ、他方の放送データをスイッチ１０３からバッファ１０４に出力させるための切替制御信号を生成し、スイッチ１０３に送る。
【００４５】
補正量制御部１０８ｃは、遅延量検出部１０８ａが検出した遅延量に基づいてバッファ１０４における遅延量を指示するための遅延量制御信号を生成し、バッファ１０４に通知する。バッファ１０４は、上記したように、スイッチ１０３から入力された放送データを遅延量制御信号に基づく遅延量だけ遅延させて選択処理部１０５に出力する。これにより、選択処理部１０５に入力される第１の放送データと第２の放送データとの間の遅延量を補正してゼロにすることができる。すなわち、第１の放送データと第２の放送データとを同期させることができる。なお、遅延量の検出方法および遅延量の補正方法の詳細については後述する。
【００４６】
選択処理制御部１０７は、エラー検出部１０７ａと選択制御部１０７ｂとを備えている。エラー検出部１０７ａは、第１の放送データおよび第２の放送データに含まれるパケットについて、エラーが含まれているか否かを検出する。選択制御部１０７ｂは、エラー検出部１０７ａの検出結果に応じて、第１の放送データおよび第２の放送データのうちのいずれを使用するかをパケット単位で判定し、この判定結果を示す選択制御信号を生成して選択処理部１０５に送る。なお、選択制御信号の生成方法の詳細については後述する。
【００４７】
選択処理部１０５は、スイッチ１０３から一方の放送データを入力され、バッファ１０４から他方の放送データを入力される。そして、選択処理部１０５は、選択処理制御部１０７から入力される選択制御信号に基づいて、入力された２つの放送データ（複数のパケット）のうちの一方を選択する処理をパケット単位で行い、選択した放送データのパケットをデコーダ１０６に出力する。つまり、選択処理部１０５は、選択処理制御部１０７から入力される選択制御信号に基づいて、デコーダ１０６に出力する放送データを第１の放送データと第２の放送データとの間で切り替える。
【００４８】
デコーダ１０６は、選択処理部１０５から入力されたパケットを復号して映像信号および音声信号を生成し、表示手段および音声出力手段（いずれも図示せず）に出力する。
【００４９】
（２．遅延量の検出方法および遅延量の補正方法）
次に、遅延補正制御部１０８における遅延量の検出方法および遅延量の補正方法について説明する。
【００５０】
図３は、遅延量検出部１０８ａに入力される放送データの構成を示す説明図である。上述したように、各放送データは、複数のパケットからなる。そして、パケットの中には、図３に示すように、放送データの時刻を示す時刻情報（図３の例ではＰＣＲ）が定期的に挿入されている。ＭＰＥＧ−２規格では、この時刻情報として、ＰＣＲ（Program Clock Reference）という２７ＭＨｚクロックのカウント値で表された４８ビットのデータが定義されている。ＰＣＲは、本来、放送局と受信機のクロックの整合を取るために挿入されるものである。
【００５１】
図４は、遅延量検出部１０８ａに入力される第１の放送データの、第２の放送データに対する遅延量を示す説明図である。なお、本実施形態では、第１の放送データと第２の放送データとは、同一のシステムで生成されたものである。したがって、図４に示す遅延がある以外は、両放送データは全く同一のデータである。このため、遅延量検出部１０８ａでは、第１の放送データおよび第２の放送データに挿入される時刻情報をそれぞれ抽出し、抽出した各放送データの時刻情報を比較することで遅延量を算出することができる。
【００５２】
図５は、遅延量の算出方法を示す説明図である。この図に示す例では、第１の放送データに含まれるＰＣＲ１が時刻ｔ１にされ、第２の放送データに含まれるＰＣＲ０が時刻ｔ２にそれぞれ受信されている。ここで、上述したように各放送データにはＰＣＲが定期的に挿入されているので、各放送データにおけるＰＣＲ０とＰＣＲ１との時間間隔は一定である。したがって、第２の放送データに含まれるＰＣＲ１は時刻ｔ３に入力されることになり、図５に示したように、第２の放送データにおける第１の放送データに対する遅延量Ｔは、
遅延量Ｔ＝ｔ３−ｔ１＝（ｔ２−ｔ１）＋Ｋ（ＰＣＲ１−ＰＣＲ０）
となる。なお、上記Ｋは、受信時刻とＰＣＲの単位とを合わせるための変換係数である。受信時刻および遅延量の単位を［ｍｓｅｃ］とすると、ＰＣＲは先に述べたように２７ＭＨｚクロックのカウント値なので、Ｋ＝１／２７０００となる。
【００５３】
図５の場合、切替制御部１０８ｂは、第１の放送データをバッファ１０４に出力させ、第２の放送データを選択処理部１０５に出力させるようにスイッチ１０３に切替制御信号を送る。なお、第１の放送データの方が第２の放送データよりも遅延している場合には、第２の放送データをバッファ１０４に出力させ、第１の放送データを選択処理部１０５に出力させるようにスイッチ１０３に切替制御信号を送る。
【００５４】
また、補正量制御部１０８ｃは、遅延量検出部１０８ａが検出した遅延量Ｔに応じた遅延量制御信号をバッファ１０４に送る。これにより、図６に示すように、第１の放送データがバッファ１０４で上記遅延量Ｔだけ遅延して出力され、選択処理部１０５には第１の放送データと第２の放送データとが互いに遅延していない状態（両放送データのＰＣＲが同じ時刻に表れる状態）で入力される。つまり、第１の放送データと第２の放送データとを同期させた状態で選択処理部１０５に入力することができる。
【００５５】
（３．選択制御信号の生成方法）
次に、選択処理制御部１０７におけるエラーの検出方法および選択制御信号の生成方法について説明する。
【００５６】
放送データを受信する際には、例えばビルからの反射など様々な要因により、受信を阻害する信号が本来の放送データと併せて受信される。このため、第１の放送データにも第２の放送データにも、その一部にエラーが発生する場合がある。
【００５７】
図７は、放送データにエラーが含まれる場合の、選択処理制御部１０７における動作の一例を説明するための説明図である。図７には、上から順に「第１の放送データ（遅延補正前）」、「第１の放送データ（遅延補正後）」、「第２の放送データ」がそれぞれ示されている。
【００５８】
この図に示す例では、第１の放送データおよび第２の放送データにおいて、網掛けで示した同時刻に受信エラーが発生しており、この網掛け部分を含むパケットにエラーが混入している。つまり、第１の放送データにおける受信エラーｅ１と第２の放送データにおける受信エラーｅ１’とが同時に発生している。また、第１の放送データにおける受信エラーｅ２と第２の放送データにおける受信エラーｅ２’とが同時に発生している。
【００５９】
第１の復調器１０２および第２の復調器１１０は、書くパケットについて、エラーが含まれているか否かを検出し、パケットにエラーが含まれるか否かを示すフラグ情報を付加する。
【００６０】
その後、スイッチ１０３、バッファ１０４、遅延補正制御部１０８によって多重された時刻情報を用いて遅延補正処理が行われ、選択処理部１０５および選択処理制御部１０７には、遅延補正後の第１の放送データと第２の放送データとが入力される。したがって、図７に示すように、選択処理部１０５および選択処理制御部１０７に入力された第１の放送データ（遅延補正後）と第２の放送データとでは、エラーの発生したパケットの位置（時刻）がずれている。
【００６１】
エラー検出部１０７ａは、第１の放送データおよび第２の放送データの各パケットについて、当該パケットに含まれているフラグ（エラーが含まれるか否かを示すフラグ）を参照し、当該パケットにエラーが含まれているか否かを判定する。そして、判定結果を選択制御部１０７ｂに送る。
【００６２】
選択制御部１０７ｂは、エラーの含まれていない方の放送データのパケットをデコーダ１０６に入力させるための選択制御信号を生成し、生成した選択制御信号を選択処理部１０５に送って選択処理部１０５を制御する。
【００６３】
例えば、図７の場合、期間Ａおよび期間Ｃでは第１の放送データを選択し、期間Ｂおよび期間Ｄでは第２の放送データを選択するように選択制御信号を生成する。
【００６４】
図７に示したように、各期間の区切れ目は受信データにエラーが含まれる地点である。
【００６５】
なお、第１の放送データおよび第２の放送データにおける互いに対応するパケットのいずれにもエラーが含まれていない場合、あるいは対応するパケットの両方にエラーが含まれている場合には、どちらの放送データを選択してもよい。
【００６６】
以上のように、本実施形態にかかる放送受信装置１では、遅延補正制御部１０８が、スイッチ１０３およびバッファ１０４の動作を制御し、選択処理部１０５に入力される第１の放送データおよび第２の放送データを同期させる。また、選択処理制御部１０７が、選択処理部１０５の動作を制御し、第１の放送データおよび第２の放送データにおける互いに対応するパケットのうち、エラーの含まれていないパケットをデコーダ１０６に出力させる。
【００６７】
これにより、図７に示したように、第１の放送データおよび第２の放送データにおいて同時にエラーが発生しても、一方の放送データを遅延させることで、選択処理部１０５に入力される両放送データにおいてエラーの位置を異ならせることができる。このため、選択処理部１０５に入力される両放送データにおいてエラーが同時に生じる確率を低減できる。したがって、例えばビルの影などの放送を受信しにくい環境下で放送を受信する場合であっても、エラーの含まれない方の放送データを選択してデコーダに入力することができるので、受信感度を向上させ、映像、音声等のコンテンツにエラーが混入する確率を低減することができる。
【００６８】
〔実施形態２〕
本発明の他の実施形態について説明する。なお、説明の便宜上、実施形態１と同じ機能を有する部材については実施形態１と同じ符号を付し、その説明を省略する。
【００６９】
実施形態１では、第１の放送データおよび第２の放送データの各パケットにエラーが含まれているか否かを判定し、これら両放送データにおける互いに対応するパケットの両方にエラーが含まれている場合には、どちらの放送データを選択してもよいものとした。これに対して、本実施形態では、両放送データのＢＥＲ（Bit Error Ratio）値（ビット誤り率）を測定し、ＢＥＲ値が小さい方の放送データに含まれるパケットを選択する。
【００７０】
図８は、本実施形態にかかる放送受信装置１ｂの概略構成を示すブロック図である。この図に示すように、放送受信装置１ｂは、実施形態１の放送受信装置１における第１の復調器１０２、第２の復調器１１０、選択処理制御部１０７に代えて、第１の復調器８０１、第２の復調器８０２、選択処理制御部８０３を備えている。なお、放送受信装置１ｂにおけるその他の構成は、実施形態１の放送受信装置１と同様である。
【００７１】
第１の復調器８０１は、第１のチューナ１０１が受信した放送信号を復調処理して放送データを生成し、スイッチ１０３および遅延補正制御部１０８に出力する。同様に、第２の復調器８０２は、第２のチューナ１０９が受信した放送信号を復調処理して放送データを生成し、スイッチ１０３および遅延補正制御部１０８に出力する。
【００７２】
また、第１の復調器８０１および第２の復調器８０２は、受信した放送データのＢＥＲ値を測定し、測定結果を選択処理制御部８０３に送信する。
【００７３】
選択処理制御部８０３は、ＢＥＲ値比較部８０３ａと選択制御部８０３ｂとを備えている。
【００７４】
ＢＥＲ値比較部８０３ａは、第１の放送データおよび第２の放送データにおける互いに対応する各パケットについて、ＢＥＲ値の大小を比較し、比較結果を選択制御部８０３ｂに送る。
【００７５】
選択制御部８０３ｂは、ＢＥＲ値比較部８０３ａの比較結果に応じて、ＢＥＲ値の小さい方の放送データに含まれるパケットを選択するように選択制御信号を生成する処理をパケット単位で行い、生成した選択制御信号を選択処理部１０５に送る。
【００７６】
なお、選択処理部１０５における放送データの選択処理は、上記したように、スイッチ１０３、バッファ１０４、遅延補正制御部１０８による遅延量補正処理後に行われる。このため、第１の復調器８０１および第２の復調器８０２から選択処理制御部８０３にＢＥＲ値が入力されてから、選択処理制御部８０３において上記判定処理が行われるまで（あるいは選択処理部１０５において選択処理が行われるまで）にはタイムラグが存在する。そこで、第１の復調器８０１および第２の復調器８０２でＢＥＲ値を測定してから選択処理制御部８０３において上記処理判定が行われるまでのタイムラグを考慮し、第１の復調器８０１および第２の復調器８０２で測定したＢＥＲ値を一時的に記憶する記憶手段を設け、選択処理制御部８０３がこの記憶手段からＢＥＲ値を適宜読み出して上記判定処理を行うようにしてもよい。
【００７７】
あるいは、選択処理制御部８０３で生成される選択制御信号を一時的に記憶する記憶手段を設け、記憶手段に記憶させた選択制御信号を上記タイムラグを考慮した適切なタイミングで選択処理部１０５に出力させるようにしてもよい。この場合、各パケットに対応するＢＥＲ値を保持する場合に比べて、必要となるメモリ容量を低減できる。このようにした場合であっても、電波状況がめまぐるしく変わる場合以外は、エラー判定の精度への影響はほとんどない。
【００７８】
以上のように、本実施形態にかかる放送受信装置１ｂは、遅延補正制御部１０８が、スイッチ１０３およびバッファ１０４の動作を制御し、選択処理部１０５に入力される第１の放送データおよび第２の放送データを同期させる。
【００７９】
これにより、実施形態１の場合と同様、選択処理部１０５に入力される両放送データにおいてエラーが同時に生じる確率を低減できる。
【００８０】
また、本実施形態にかかる放送受信装置１ｂは、選択処理制御部１０７が、選択処理部１０５の動作を制御し、第１の放送データおよび第２の放送データにおける互いに対応するパケットのうち、ＢＥＲ値の小さいパケットをデコーダ１０６に出力させる。このため、第１の放送データおよび第２の放送データの両方にエラーが含まれる場合であっても、エラーの割合が少ないパケットを選択してデコーダに出力させることができる。したがって、デコーダのエラーリカバリー処理により、映像、音声等のコンテンツが正しく再生できる確率を高めることができる。
【００８１】
なお、上記各実施形態では、遅延量検出部１０８ａが、受信した第１および第２放送データ間の遅延量を両放送データに含まれる時刻情報に基づいて計算するものとしたが、これに限るものではない。例えば、放送局側で事前に受信時の遅延量を求め、この遅延量を属性情報として放送データに含める構成としても良い。放送データに含める上記属性情報のパラメータ値は、例えば、基準となるチャンネルについては遅延量ゼロとし、他のチャンネルについては基準チャンネルとの差分を遅延量とすればよい。
【００８２】
このように、遅延量を放送データに属性情報として含めておく場合、遅延量検出部１０８ａは、各放送データに含まれる属性情報に基づいて遅延量を検出すればよい。これにより、遅延量検出部１０８ａの構成を簡略化できる。あるいは、遅延量検出部１０８ａを省略し、切替制御部１０８ｂおよび補正量制御部１０８ｃが、放送データに含まれる属性情報に基づいて切替制御および補正量制御を行うようにしてもよい。このように、遅延量検出部１０８ａを省略することで、遅延補正制御部１０８の構成を簡略化することができる。
【００８３】
また、上記各実施形態では、チューナおよび復調器を２組備える構成について説明したが、これに限るものではない。例えば、上記２組のうちの一方に代えて、別の通信経路からの入力を受け付けるインターフェースを備えてもよい。例えば、インターネット等の通信網を介して送信されたデータを受信するためのネットワークインターフェース（有線あるいは無線）を備え、放送電波を受信して得られる放送データと、ネットワークを介して受信した放送データとを用いる構成としてもよい。この場合、例えば放送電波の受信が困難な場所でも、インターネット等の別の通信経路で放送データを受信することが可能となり、サービスエリアを広げることができる。
【００８４】
また、チューナおよび復調器を３組以上備えた構成としてもよい。この場合、バッファ１０４をチューナおよび復調器の組数Ｎ（Ｎは３以上の整数）に対してＮ−１個備えておく。そして、切替制御部１０８ｂは、上記各組で受信した放送データのうち最も遅延している放送データをスイッチ１０３から選択処理部１０５に出力し、他の放送データについてはそれぞれ異なるバッファに入力するように切替制御信号を生成してスイッチ１０３に送る。また、補正量制御部１０８ｃは、各バッファに対して、選択処理部１０５に入力される各放送データを同期させるための遅延制御信号を送る。また、選択処理制御部１０７は、各放送データにおける互いに対応するパケットのうち、エラーの含まれていないパケットを選択するように選択制御信号を生成して選択処理部１０５に送る。あるいは、選択処理制御部８０３は、各放送データにおける互いに対応するパケットのうち、ＢＥＲ値の最も小さいパケットを選択するように選択制御信号を生成して選択処理部１０５に送る。
【００８５】
また、上記各実施形態において、放送受信装置１，１ｂに備えられる各部（各ブロック）は、ＣＰＵ等のプロセッサを用いてソフトウェアによって実現される。すなわち、放送受信装置１，１ｂは、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアである放送受信装置１，１ｂの制御プログラムのプログラムコード（実行形式プログラム、中間コードプログラム、ソースプログラム）をコンピュータで読み取り可能に記録した記録媒体を、放送受信装置１，１ｂに供給し、そのコンピュータ（またはＣＰＵやＭＰＵ）が記録媒体に記録されているプログラムコードを読み出して実行することによって達成される。
【００８６】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００８７】
また、放送受信装置１，１ｂを通信ネットワークと接続可能に構成し、通信ネットワークを介して上記プログラムコードを供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【００８８】
また、放送受信装置１，１ｂの各部は、ソフトウェアを用いて実現されるものに限らず、ハードウェアロジックによって構成されるものであってもよく、処理の一部を行うハードウェアと当該ハードウェアの制御や残余の処理を行うソフトウェアを実行する演算手段とを組み合わせたものであってもよい。
【００８９】
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【図面の簡単な説明】
【００９０】
【図１】本発明の一実施形態にかかる放送受信装置の概略構成を示すブロック図である。
【図２】（ａ）および（ｂ）は、図１に示した放送受信装置に備えられるスイッチの動作を説明するための説明図である。
【図３】図１に示した放送受信装置に備えられる遅延量検出部に入力される放送データの構成を示す説明図である。
【図４】図１に示した放送受信装置に備えられる遅延量検出部に入力される放送データの遅延量を示す説明図である。
【図５】図１に示した放送受信装置に備えられるバッファにおける遅延量を示す説明図である。
【図６】図１に示した放送受信装置における放送データの遅延処理を示す説明図である。
【図７】図１に示した放送受信装置に備えられる選択処理制御部の動作の一例を説明するための説明図である。
【図８】本発明の他の実施形態にかかる放送受信装置の概略構成を示すブロック図である。
【符号の説明】
【００９１】
１，１ｂ  放送受信装置
１０１    第１のチューナ（受信手段）
１０２    第１の復調器（受信手段、エラー検出部）
１０３    スイッチ（切替部）
１０４    バッファ
１０５    選択処理部（選択部）
１０６    デコーダ
１０７    選択処理制御部（選択部）
１０７ａ  エラー検出部
１０７ｂ  選択制御部
１０８    遅延補正制御部（遅延補正部）
１０８ａ  遅延量検出部
１０８ｂ  切替制御部
１０８ｃ  補正量制御部
１０９    第２のチューナ（受信手段）
１１０    第２の復調器（受信手段、エラー検出部）
８０１    第１の復調器（エラー発生率検出部）
８０２    第２の復調器（エラー発生率検出部）
８０３    選択処理制御部（選択部）
８０３ａ  ＢＥＲ値比較部（エラー発生率検出部）
８０３ｂ  選択制御部
【図１】
2008252390.tif 000003
【図２】
2008252390.tif 000004
【図３】
2008252390.tif 000005
【図４】
2008252390.tif 000006
【図５】
2008252390.tif 000007
【図６】
2008252390.tif 000008
【図７】
2008252390.tif 000009
【図８】
2008252390.tif 000010